(57)【要約】【課題】本体枠や開閉部材へ別部材を取り付けることなく開閉部材を開放維持することができ、また、開閉部材を開放維持するための操作を必要としない遊技機を提供する。【解決手段】前面枠（本体枠）３に、下皿部材５の軸部材５２２が挿通される貫通孔（前面枠側下皿用）３２２と、ガラス枠４が軸着される軸部材（前面枠側ガラス枠用）３３２が設けられ、ガラス枠４が前面枠４に対して所定の角度に開放されると、貫通孔３２２に挿通された下皿部材５の軸部材５２２が、貫通孔３２２から突出して、ガラス枠４に設けられた係止孔４２２に係止して、ガラス枠４を開放維持する。【選択図】図１７
2007275162.tif 000002
【特許請求の範囲】
【請求項１】
本体枠と、前記本体枠の前面側に一側縁が開閉可能に連設された第1の開閉部材と第２の開閉部材とが設けられた遊技機において、
前記本体枠には前記第１の開閉部材が係合する係合部と、前記第２の開閉部材が軸着される貫通状の貫通孔とが設けられ、
前記第２の開閉部材は、前記貫通孔を挿通する凸状の軸部材を備え、前記軸部材が前記貫通孔を挿通することによって前記軸部材の先端部が前記貫通孔から突出すると共に、前記第２の開閉部材が前記本体枠に対して開閉可能に軸着され、
前記第１の開閉部材は、前記係合部に係合する被係合部が設けられると共に、前記貫通孔から突出した前記軸部材の先端部が前記第１の開閉部材の開放軌道上で挿入可能な孔状の係止孔が設けられ、
前記第１の開閉部材を開放した際に前記係止孔に前記第２の開閉部材の前記軸部材の先端部が挿入されることによって前記第１の開閉部材が開放維持されるように構成したことを特徴とする遊技機。
【請求項２】
前記軸部材は、前記第１の開閉部材の開放軌道上で、前記軸部材の先端が前記係止孔に挿入される位置に設けられていることを特徴とする請求項１に記載の遊技機。
【請求項３】
前記本体枠に設けられる係合部と前記第１の開閉部材に設けられる被係合部のいずれか一方が前記第１の開閉部材を前記本体枠に対して回動可能にするための軸部として構成され、他方が該軸部に軸着される軸受け部として構成され、
前記第１の開閉部材に設けられる係止孔および前記第２の開閉部材に設けられる軸部材は、前記軸部と前記軸受け部の回動中心から略等距離に位置して設けられていることを特徴とする請求項１または２に記載の遊技機。
【請求項４】
前記本体枠に設けられた貫通孔は前記係合部よりも中心点が前面側に設けられていることを特徴とする請求項１から３のいずれかに記載の遊技機。
【請求項５】
前記係合部と前記貫通孔とが同一部材に設けられていることを特徴とする請求項１から４のいずれかに記載の遊技機。
【請求項６】
前記第２の開閉部材に設けられる軸部材の先端はテーパー状に形成されていることを特徴とする請求項１から５のいずれかに記載の遊技機。
【請求項７】
前記第２の開閉部材には、前記軸部材を前記本体枠の貫通孔から突出する方向に付勢する弾性部材が設けられ、
前記第１の開閉部材を閉鎖状態から一定量開放する間、前記軸部材は、その先端が前記第１の開閉部材の被係合部に当接して前記弾性部材の付勢に抗して変位し、
前記第１の開閉部材が一定量開放した際に、前記係止孔と前記軸部材とが略同軸上に位置されることによって、前記軸部材が前記弾性部材に付勢されて前記係止孔に挿入される構成としたことを特徴とする請求項１から６のいずれかに記載の遊技機。
【請求項８】
前記第１の開閉部材および／または前記第２の開閉部材は前記本体枠に対して着脱可能に構成されていることを特徴とする請求項１から７のいずれかに記載の遊技機。
【発明の詳細な説明】
【技術分野】
【０００１】
本発明は、本体枠に開閉可能に取り付けられる開閉部材を有する遊技機に関する。
【背景技術】
【０００２】
従来、額縁形状の機枠と該機枠の前面側に取り付けられた前面枠（本体枠）と、該前面枠に一側縁が軸着により開閉可能に構成された開閉部材とを備える遊技機として、例えばパチンコ遊技機が広く知られている。
【０００３】
前記開閉部材としては、例えば遊技領域を視認可能に保護するガラスを保持したガラス枠や、遊技媒体を貯留可能な皿部材等がある。ガラス枠には、飾りランプ等が取り付けられるように、ガラス保持以外の機能を持たせることが多い。また皿部材にも装飾ランプ等の電気部品が設けられる場合がある。これらのガラス枠や皿部材等の開閉部材は、遊技機の製造や修理、メンテナンス等の作業を行うために、遊技機の前面枠等の本体枠から開閉可能な構造に形成されている。
【０００４】
通常、このような修理等の作業は、ガラス枠や皿部材等の開閉部材を開放して行うことがある。一方、これらの開閉部材は一側縁が軸着された片持ち状態で支持される場合が多く、開放状態の位置が変動しやすく不安定なため、開放状態で開閉部材に軽く触れられただけでも閉鎖位置側へ開閉部材が移動してしまうことがあり、作業に支障をきたす場合があった。
【０００５】
そこで、開閉部材を開放維持する機構を有する遊技機として、例えば特許文献１に記載の遊技機がある。この遊技機は、機枠に、開閉支持部を介してガラス枠が組み付け支持されている。図２１はこの遊技機の前面側左上方の開閉支持部１００を拡大して示した図である。開閉支持部１００の近傍に、前記ガラス枠１０２をほぼ全開位置に拘束保持する開放維持部材１０４が設けられている。この開放維持部材１０４には、上端部に係止片１０６が、下端部に摘み片１０８が設けられている。この摘み片１０８を利用して、開放保持部材１０４を昇降操作することで、前記係止部１０６を前記機枠１１０の前面に当接させて、ガラス枠１０２を開放保持する。
【特許文献１】特開平５−１５６４９号公報
【発明の開示】
【発明が解決しようとする課題】
【０００６】
しかしながら、上記従来の遊技機は、機枠またはガラス枠に開放保持機構を取り付けると、その部分への装飾ランプ等の装飾部材およびその他の部材の取り付けが制限されてしまう。また、ガラス枠を開放保持するためには、開放保持部材を昇降操作する必要があり、操作が煩わしいという問題があった。
【０００７】
上記実状に鑑み、本発明が解決しようとする課題は、本体枠や開閉部材へ別部材を取り付けることなく開閉部材を開放維持することができ、また、開閉部材を開放維持するための操作を必要としない遊技機を提供することにある。
【課題を解決するための手段】
【０００８】
上記課題を解決するために、本発明遊技機は、請求項１に記載のように、本体枠と、前記本体枠の前面側に一側縁が開閉可能に連設された第1の開閉部材と第２の開閉部材とが設けられた遊技機において、前記本体枠には前記第１の開閉部材が係合する係合部と、前記第２の開閉部材が軸着される貫通状の貫通孔とが設けられ、前記第２の開閉部材は、前記貫通孔を挿通する凸状の軸部材を備え、前記軸部材が前記貫通孔を挿通することによって前記軸部材の先端部が前記貫通孔から突出すると共に、前記第２の開閉部材が前記本体枠に対して開閉可能に軸着され、前記第１の開閉部材は前記係合部に係合する被係合部を備えると共に、前記被係合部に、前記貫通孔から突出した前記軸部材の先端部が前記第１の開閉部材の開放軌跡上で挿入可能な孔状の係止孔を形成し、前記第１の開閉部材を開放した際に前記係止孔に前記軸部材の先端部が挿入されることによって前記第１の開閉部材が開放維持されるように構成されていることを要旨とするものである。
【０００９】
本発明遊技機において、請求項２に記載のように、請求項１に係り、前記軸部材は、前記第１の開閉部材の開放軌跡上で、前記軸部材の先端が前記係止孔に挿入される位置に設けられている構成である。
【００１０】
本発明遊技機において、請求項３に記載のように、請求項１または２に係り、前記本体枠に設けられる係合部と前記第１の開閉部材に設けられる被係合部のいずれか一方が前記第１の開閉部材を前記本体枠に対して回動可能にするための軸部として構成され、他方が該軸部に軸着される軸受け部として構成され、前記第１の開閉部材に設けられる係止孔および前記第２の開閉部材に設けられる軸部材は、前記軸部と前記軸受け部の回動中心から略等距離に位置して設けられている構成である。
【００１１】
本発明遊技機において、請求項４に記載のように、請求項１から３のいずれかに係り、前記本体枠に設けられた貫通孔は前記係合部よりも中心点が前面側に設けられている構成である。
【００１２】
本発明遊技機において、請求項５に記載のように、請求項１から４のいずれかに係り、前記係合部と前記貫通孔とが同一部材に設けられている構成である。
【００１３】
本発明遊技機において、請求項６記載のように、請求項１から５のいずれかに係り、前記第２の開閉部材に設けられる軸部材の先端はテーパー状に形成されている構成である。
【００１４】
本発明遊技機において、請求項７に記載のように、請求項１から６のいずれかに係り、前記第２の開閉部材には前記軸部材を、前記本体枠の貫通孔から突出する方向に付勢する弾性部材が設けられ、前記第１の開閉部材を閉鎖状態から一定量開放する間、前記軸部材は、その先端が前記第１の開閉部材の被係合部に当接して前記弾性部材の付勢に抗して変位し、前記第１の開閉部材が一定量開放した際に、前記被係合部に設けられた係止孔と前記軸部材とが略同軸上に位置されることによって、前記軸部材が前記弾性部材に付勢されて前記係止孔に挿入される構成である。
【００１５】
本発明遊技機において、請求項８に記載のように、請求項１から７のいずれかに係り、前記第１の開閉部材および／または前記第２の開閉部材は前記本体枠に対して着脱可能に構成されている。
【発明の効果】
【００１６】
請求項１に記載の遊技機には、前記第２の開閉部材の軸部材が、前記本体枠の前記貫通孔を挿通することによって、前記軸部材の先端部が前記貫通孔から突出すると共に、前記第２の開閉部材が前記本体枠に対して開閉可能に前記本体枠に軸着され、前記第１の開閉部材は、前記係合部に係合する被係合部を備えると共に、前記被係合部に、前記貫通孔から突出した前記軸部材の先端部が前記第１の開閉部材の開放軌道上で挿入可能な孔状の係止孔を形成し、前記第１の開閉部材を開放した際に、前記係止孔に前記軸部材の先端部が挿入されることによって、前記第１の開閉部材が開放維持されるように構成したことにより、本体枠や開閉部材に開放維持するために別部材を取り付ける必要がなく、開閉部材を開放維持するために特別な操作をしなくとも、前記第１の開閉部材を開放するだけで開放維持することができるので作業性を向上することが可能となる。
【００１７】
請求項２の遊技機は、前記軸部材は、前記第１の開閉部材の開放軌道上で、前記軸部材の先端が前記係止孔に挿入される位置に設けられているので、第１の開閉部材を開放維持するために別部材を取り付けることなく、前記第１の開閉部材を開放したときに、前記第２の開閉部材の軸部材が前記係止孔に挿入されることによって係止され、前記第１の開閉部材を開放維持することが可能となる。
【００１８】
請求項３の遊技機は、前記本体枠に設けられる係合部と前記第１の開閉部材に設けられる被係合部のいずれか一方が前記第１の開閉部材を前記本体枠に対して回動可能にするための軸部として構成され、他方が該軸部に軸着される軸受け部として構成され、前記第１の開閉部材に設けられる係止孔および前記第２の開閉部材に設けられる軸部材は、前記軸部と前記軸受け部の回動中心から略等距離に位置して設けられているため、第１の開閉部材を所定の角度に開放したときに、前記本体枠に設けられた貫通孔から突出した前記第２の開閉部材の軸部材が、前記係止孔に挿通されることによって係止され、前記第１の開閉部材開放維持。
【００１９】
請求項４の遊技機は、前記本体枠に設けられた貫通孔が前記係合部よりも中心点が前面側に設けられているため、第１の開閉部材を開放維持する際に、第１の開閉部材の係止孔と第２の開閉部材の軸部材との係止位置が、第１の開閉部材と本体枠との係合位置よりも内側になるため、第１の開閉部材の本体枠への軸着を補助することができる。
【００２０】
請求項５の遊技機は、前記係合部と前記貫通孔とが同一部材に設けられているので、部品点数を増やすことなく、第１の開閉部材を開放維持することができる。
【００２１】
請求項６の遊技機は、前記軸部材の先端がテーパー状に形成されているので、前記第１の開閉部材を開放した際に、前記係止孔に前記軸部材の先端部が挿入されやすくなる。
【００２２】
請求項７の遊技機は、前記第２の開閉部材には前記軸部材を、前記本体枠の貫通孔から突出する方向に付勢する弾性部材が設けられ、前記第１の開閉部材を閉鎖状態から一定量開放する間、前記軸部材は、その先端が前記第１の開閉部材の被係合部に当接して前記弾性部材の付勢に抗して変位し、前記第１の開閉部材が一定量開放した際に、前記被係合部に設けられた係止孔と前記軸部材とが略同軸上に位置されることによって、前記軸部材が前記弾性部材に付勢されて前記係止孔に挿入されるので、第１の開閉部材を、開放維持または解除する操作を必要とせずに、開放維持すことができる。
【００２３】
請求項８の遊技機は、前記第１の開閉部材および／または第２の開閉部材が本体枠に対して着脱可能に構成されているので、遊技機の修理または組み立て等の作業の作業性が向上する。
【発明を実施するための最良の形態】
【００２４】
以下、本発明の実施形態について図面を用いて詳細に説明する。図１は本発明に係る遊技機の一実施例を示す正面図であり、図２は図１の背面図である。図１に示すように、本実施例の遊技機はパチンコ遊技機１であり、所要の奥行きを有する額縁形状に形成された機枠２（外枠と云うこともある）の前面側に、一側縁として左側縁が軸着により開閉可能に形成された前面枠３（内枠と云うこともある）が取り付けられ、前面枠３の前面側にガラス枠４や下皿部材５等の開閉部材が取り付けられている。本実施例では、本発明の本体枠は前面枠３であり、本発明の第１の開閉部材はガラス枠４であり、第２の開閉部材は下皿部材５である。
【００２５】
なお本発明において、遊技機の前面とは、遊技機正面側のことであり、遊技機の左側、右側、上側、下側とは、遊技機を前面から見た場合の左側、右側、上側、下側のことであり、図１において、図中、それぞれ左側、右側、上側、下側のことである。また遊技機の背面側を後面と云うこともある。
【００２６】
前面枠３には開口部６が設けられ（図４参照）、前面枠３の開口部６には、図１に示すように遊技盤７が脱着可能に組み付けられている。遊技盤７の周縁には、発射装置８（図２参照）から発射された遊技球をガイドするための内側ガイドレール９と外側ガイドレール１０からなるガイドレールが、略円形に設けられている。内側ガイドレール９によって囲まれた部分が遊技領域として形成されている。また同図に示すように、パチンコ遊技機１の左側面にはプリペイドカードユニット１１が取付られている。
【００２７】
図１に示すように、ガラス枠４は、前面枠３の前面側に遊技盤７を視認可能に形成され、遊技領域に発射される遊技球を貯留するための上皿１２と一体に形成されている。ガラス枠４の上部左右両側にスピーカ１３が取り付けられ、遊技領域の周囲に装飾ランプ１４が設けられている。下皿部材５には上皿１２に遊技球が満杯になった場合に上皿１２から遊技球が流下して遊技球を貯留可能な下皿１５と、下皿１５に貯留した遊技球を遊技機外に抜き取るための下皿球抜き操作部１６と、上皿１２からの遊技球が下皿１５に出てくる下皿球出口２４等が設けられている。また前面枠３には、前面枠３やガラス枠４を開放可能にするための鍵１７、遊技球を発射操作するための発射ハンドル１８等が取り付けられている。また上皿１２には、上皿１２に貯留されている遊技球を下皿１５に流下するための上皿操作部１９や、貸し出し可能な貸し球を払い出すための球貸し操作部２０等が設けられている。また遊技盤７の遊技領域内には、特別図柄表示装置２１等の表示装置、始動入賞装置２２、特別入賞装置２３等の各種入賞装置が設けられている。
【００２８】
パチンコ遊技機１は、発射ハンドル１８の操作により、発射装置８から遊技領域に発射された遊技球が、転動しながら遊技盤７表面を落下し、入賞装置に入ると、所定の賞球遊技球が球払出口から払い出されるようになっている。
【００２９】
図２に示すように、パチンコ遊技機１の機枠２の背面側には、枠用外部端子基板３０、図柄制御基板３１、主制御基板３２、音声制御基板３３、ランプ制御基板３４、払出制御基板３５、発射装置制御基板３６、電源基板３７等の各種基板、カードインターフェース接続部３８、球寄せ３９、タンク４０、タンクレール４１、払出装置４２、発射装置８等が設けられている。
【００３０】
図３は機枠２と前面枠３の取付構造を示すための分解斜視図である。前面枠３は機枠２から脱着可能に取付られている。同図に示すように前面枠３の左側縁上下には、係合穴３０１、３０２を有する被係合部（機枠・前面枠用）が設けられている。機枠２の左側縁上下の、前記前面枠３の被係合部の係合穴３０１、３０２に対応する位置には、前記被係合部の係合穴３０１、３０２に係合する軸部材２０１、２０２を有する係合部（機枠・前面枠用）が設けられている。同図に示すように、機枠２の軸部材２０２に、前面枠３の係合穴３０２を上から嵌め込み、機枠２の軸部材２０１に前面枠３の係合穴３０１をスライドさせて挿入することで、前面枠３は機枠２に軸着される。前面枠３は、機枠２の軸部材２０１、２０２を軸として回動し、機枠２に対して開閉可能に形成されている。そして、機枠２と前面枠３は、機枠２の軸部材２０１、２０２と前面枠３の係合穴３０１、３０２との係合側を軸にして、他端側を前面枠３の係止部３０４、３０４と機枠２の２０４、２０４を係止することによって開閉可能に前面枠３を機枠２に閉鎖することが可能に構成されている。
【００３１】
図４は機枠２に取り付けられた前面枠３からガラス枠４を開いた状態を示す斜視図であり、図５は前面枠３からガラス枠４及び下皿部材５を開いた状態を示す斜視図である。前面枠３には、遊技盤７を取り付けるための開口部６が設けられ、該開口部６の周囲の上皿の後面に対応する位置には、上皿球出口４３、ファール球通路４４、球送り装置４５、発射装置８等が設けられている。
【００３２】
図４に示すように、ガラス枠４の下側には、遊技球等の遊技媒体を貯留するための下皿１５、下皿球出口２４、球抜き操作部１６等が設けられた下皿部材５が取り付けられている。図５に示すように、下皿部材５は、前面枠３に対して開閉可能であり、且つ前面枠３から脱着可能に、左側縁が前面枠３に軸着されて取り付けられている。ガラス枠４と下皿部材５は、別々に開閉可能であり、それぞれ前面枠３に対し脱着可能に取り付けられている。
【００３３】
前面枠３の右側縁部には、ガラス枠４を閉状態に係止する係止片４６、４６が設けられている。一方ガラス枠４の後面側の同じく右側縁部には、係止片４６、４６と対応する位置に係止爪４４６、４４６が設けられている。これら係止片４６、４６と係止爪４４６、４４６とが係合して、ガラス枠４が前面枠３に閉鎖される。係止片４６、４６は、図示しない付勢部材によって常に上方に付勢された状態で、鍵１７を操作することによって上方への付勢を解除して下方へ動するように前面枠３に組み付けられている。鍵１７を開操作することにより、係止片４６、４６は下方に移動し、係止爪４４６、４４６との係合が解除されて、ガラス枠４が開放される。図４に示すように、係止片４６、４６は先端が前面側に傾斜し、テーパー状に形成されているので、ガラス枠４を閉鎖するときは、このテーパーが係止爪４４６、４４６に当接し、係止片４６、４６が下方に押し下げられて、係止爪４４６、４４６が係合位置まで誘導される。ガラス枠４が閉状態になり、係止爪４４６、４４６が係合位置に配置されると、係止片４６、４６は前記付勢部材によって上方に付勢されて、係止爪４４６、４４６と係合し、ガラス枠４が前面枠３に閉鎖される。
【００３４】
図６は前面枠３の正面図である。この図６に示すように、前面枠３には、下皿部材５の右側縁部に対応する位置に、金属板からなる係止爪固定片３６４、３６４が設けられている。後述する下皿部材５に設けられた係止爪５６４、５６４（図１３参照）が前面枠３の係止爪固定片３６４、３６４に係止され、下皿部材５が前面枠３に閉鎖されて開放しないように固定される。
【００３５】
図７は前面枠の斜視図であり、図８は図７の下皿部材係合部の拡大図である。図６〜８に示すように、前面枠３には下皿部材５と係合するための下皿部材係合部３００Ｓおよびガラス枠４を係止するためのガラス枠係合部３００Ｇが設けられている。前面枠３の下皿部材係合部３００Ｓは、前面枠３の左側縁の下方に設けられた下皿下方固定部３１０と、左側縁の前記下皿下方固定部３１０よりも上方の、下皿部材５とガラス枠４との境界となる位置に設けられた下皿上方固定部３２０とからなる。また、前面枠３のガラス枠係合部３００Ｇはガラス枠下方固定部３３０とガラス枠上方固定部３４０とからなる。ガラス枠下方固定部３３０は下皿上方固定部３２０と一体的に形成されており、ガラス枠上方固定部３４０は前面枠３の左側縁上方に設けられている。
【００３６】
図８に示すように、前面枠３の下皿下方固定部３１０は、前面枠３の前端から前面側に突出し平板状に形成された軸固定部（前面枠側下皿用）３１１と、該軸固定部の上面に上方に突出するように形成された軸部材（前面枠側下皿用）３１２とから構成される。また前面枠３の下皿上方固定部３２０は、前面枠３の前端から前面側に突出し平板状に形成された軸固定板（前面枠側下皿用）３２１と、該軸固定板（前面枠側下皿用）３２１を上下に貫通する貫通孔（前面枠側下皿用）３２２とから構成される。
【００３７】
なお、軸固定板（前面枠側下皿用）３２１の上面側は、後述するガラス枠４と係合するガラス枠下方固定部３３０として形成されている。ガラス枠下方固定部３３０は、前面枠の前端から前面側に突出し平板状に形成された軸固定部（前面枠側ガラス枠用）３３１と、該軸固定部（前面枠側ガラス枠用）３３１の上に上方に突出するように形成された軸部材（前面枠側ガラス枠用）３３２とから構成されている。
【００３８】
図９は、ガラス枠４および下皿部材５の前面枠３への取り付け構造を示す分解斜視図である。下皿部材５の左側縁には、下皿部材係合部３００Ｓに係合する被係合部（前面枠側下皿部材用）５００として下皿下方被係合部５１０と下皿上方被係合部５２０が設けられ、前面枠３に設けられた下皿部材係合部３００Ｓの下皿下方固定部３１０、下皿上方固定部３２０と係合することで、下皿部材５が前面枠３に軸着される。おなじく、ガラス枠４の左側縁には、ガラス枠係合部３００Ｇに係合する（前面枠側ガラス枠用）被係合部４００としてガラス枠下方被係合部４３０およびガラス枠上方被係合部４４０が設けられ、前面枠３に設けられたガラス枠係合部３００Ｇのガラス枠下方固定部３３０、ガラス枠上方固定部３４０と係合することで、ガラス枠４が前面枠３に軸着される。
【００３９】
図１０は下皿部材５の正面図であり、図１１は下皿部材５の斜視図である。図９〜図１１に示すように、下皿部材５には、前記前面枠３の下皿部材係合部３００Ｓに係合する被係合部５００が設けられている。下皿部材５の被係合部５００は、左側縁下方であり前面枠３の下皿下方固定部３１０に対応する位置に設けられた下皿下方被係合部５１０と、左側縁上方であり前面枠３の下皿上方固定部３２０に対応する位置に設けられた下皿上方被係合部５２０とから構成されている。
【００４０】
図１０及び図１１に示すように、下皿部材５の下皿上方被係合部５２０には、前面枠３の軸固定板（前面枠側下皿用）３２１の下側に嵌るように上面が平坦に形成された軸固定部（下皿部材側）５２１が設けられている。軸固定部（下皿部材側）５２１の中程には下皿上方固定部３２０の貫通孔（前面枠側下皿用）３２２に挿入される凸状の軸部材（下皿部材側）５２２が設けられている。
【００４１】
下皿部材５の下皿下方被係合部５１０は、前面枠３の下皿下方固定部３１０の軸固定部（前面枠側下皿用）３１１の上に載る固定板部（下皿部材側前面枠用）５１１が設けられ、該固定板部（下皿部材側前面枠用）５１１には下皿下方固定部３１０の軸部材（前面枠側下皿用）３１２が挿入される係合穴５１２が設けられている。更に固定板部（下皿部材側前面枠用）５１１には、下方に突出する突起からなる支持部５１３が設けられている。また、下皿部材５の右側縁上部には前面枠３との係止を解除可能にするための下皿開放操作部５６０の開放操作摘み５６３が設けられている。
【００４２】
図１２は下皿部材５の背面図であり、図１３は下皿部材５を背面側から見た分解斜視図である。図１２に示すように、下皿部材５の下皿上方被係合部５２０の軸部材５２２は、下皿部材５の背面側に設けられている下皿取外し操作部５３０を手で操作することによって、上下方向にスライドして移動（変位）可能に形成されている。
【００４３】
図１３は、下皿部材５を背面側から見た分解斜視図である。図１３に示すように、下皿部材５は、遊技機前面側の下皿本体５４０と遊技機後面側の下皿裏カバー５５０とを備えている。
【００４４】
下皿部材５の軸部材５２２は、軸部材５２２の一端側の先端部５３６と軸部材５２２の本体となるスライド部５３１と、軸部材５２２を変位して前面枠３から下皿部材５を取り外すために操作する下皿取外し操作部５３０とが一体に形成されている。スライド部５３１には、縦長に形成され上下左右に所定間隔を持ってた設けられた２つの貫通孔からなるガイド孔５３２、５３２と、コイルばねからなる付勢部材５３３を引っ掛けるための引っ掛け部５３４とが設けられている。
【００４５】
軸部材５２２の下皿本体５４０への取り付けは、スライド部５３１の２つのガイド孔５３２に止めネジ５３５を挿通し、ガイド孔５３２に沿ってスライド部５３１が上下にスライド可能に係止する。更にコイルばねからなる付勢部材５３３を下皿本体５４０側の引っ掛け部５４１と軸部材５２２の引っ掛け部５３４に引っ掛ける。この引っ掛け部同士を、付勢部材５３３で引っ掛けた際に、軸部材５２２が上方に付勢されるように形成されている。
【００４６】
下皿本体５４０に軸部材５２２を取り付けた後、下皿本体５４０に下皿裏カバー５５０を取り付ける。下皿裏カバー５５０に設けられた下皿取外し操作部挿通孔５５１から、軸部材５２２の下皿取外し操作部５３０が遊技機後方に突出するように位置し、手で操作可能に形成されている（図１２参照）。軸部材５２２は２つのガイド孔５３２が左右（斜め方向）に所定の距離を持って平行に設けられているので、軸部材５２２が遊技機の垂直方向上下にスライド可能に構成されている。また軸部材５２２の上下方向のスライド量は、ガイド孔５３２の上下の長さによって規制されている。軸部材５２２の下方への移動は、下皿取り外し操作部５３０の下端が下皿取外し操作部挿通孔５５１の上端に当接するまでの間で、軸部材（下皿部材）５２２の先端部５３６が軸固定部（下皿部材側）５２１の表面から突出しない位置まで下がるように形成されている。
【００４７】
下皿部材５の軸部材５２２は、付勢部材５３３により常に上方に付勢されているから、通常、軸部材５２２の先端部５３６は軸固定部（下皿部材側）５２１上面から上方に突出している。この先端部５３６が、前面枠３に設けられた下皿上方固定部３２０の貫通孔（前面枠側下皿用）３２２（図８参照）に挿入されて係止される。
【００４８】
これに対し、下皿取外し操作部５３０を手で下方に押し下げると、軸部材５２２が下方にスライドし、先端部５３６が軸固定部（下皿部材側）５２１上面から突出しない状態となる。下皿取外し操作部５３０から手を離すと、付勢部材５３３の付勢により軸部材５２２が上方にスライドして軸固定部（下皿部材側）５２１上面から突出した状態に戻る。
【００４９】
軸部材（下皿部材側）５２２の先端部５３６が貫通孔３２２に挿入（挿通）された状態から、軸部材（下皿部材側）５２２の先端部５３６が軸固定部（下皿部材側）５２１上面から突出しないようになると、軸部材５２２が前面枠３の下皿上方固定部３２０の貫通孔（前面枠側下皿用）３２２への挿入が外れ係合されている状態が解除される。このように下皿取外し操作部５３０は、下皿部材５の被係合部５００が前面枠３の下皿部材係合部３００Ｓに係合されて下皿部材５が前面枠３に軸着されている状態を解除することができる。
【００５０】
下皿部材５の下皿開放操作部５６０は、固定部材５６１と該固定部材５６１に上下にスライド可能に取り付けられる開放操作部材５６２とを備えている。固定部材５６１は板状体からなり、コイルばねからなる付勢部材５６７の引っ掛け部５６８と、下皿本体５４０に固定するためのネジ孔５６９が設けられている。
【００５１】
開放操作部材５６２は、板状体の上端が遊技機前面側に突出するように折り曲げられた開放操作摘み５６３と、遊技機後方に突出し先端が上方に凸となるＬ字状に折り曲げ形成された二つの係止爪５６４、５６４と、上下に縦長の貫通孔からなる二つのガイド孔５６５、５６５（図１２参照）と、付勢部材５６７の引っ掛け部５６９とが設けられている。ガイド孔５６５、５６５は、上下方向（斜め方向）に所定の間隔を持って設けられている。
【００５２】
開放操作部材５６２は、下皿裏カバー５５０に固定部材５６１が止めネジによって固定され、該固定部材５６１に開放操作部材５６２のガイド孔５６５に止めネジ５７０を挿通し、開放操作部材５６２が上下にスライド可能にネジ止めされる。そしてコイルばねからなる付勢部材５６７が、固定部材の引っ掛け部５６８と開放操作部材の引っ掛け部５６９に引っ掛けられている。付勢部材５６７は、下皿開放操作部の開放操作部材５６２を上方に付勢するように引っ掛けられている。
【００５３】
図１０及び図１１にも示したように、下皿開放操作部５６０は、開放操作摘み５６３が、下皿裏カバー５５０の上縁よりも上方に突出するように取付られている。図４に示すように前面枠３からガラス枠４を開放し、前面枠３に下皿部材５を閉鎖した状態では、開放操作摘み５６３は手で下方に押し下げ可能な位置にある。下皿開放操作部５６０の開放操作摘み５６３を押し下げると、通常は上方に付勢されている開放操作部材５６２がガイド孔５６５に沿って垂直下方に移動して、係止爪５６４，５６４が下方に移動する。
【００５４】
前面枠３には、下皿開放操作部５６０の係止爪５６４、５６４に対応する位置に、金属板からなる係止爪固定片３６４、３６４が設けられている（図６参照）。下皿部材５を前面枠３に閉鎖した状態においては係止爪５６４、５６４は、上方に付勢された状態で係止爪固定片３６４、３６４に係止され、下皿部材５が前面枠３に閉鎖されて開放しないように固定される。下皿開放操作部５６０の開放操作摘み５６３を手で押し下げると、係止爪５６４、５６４が下方に移動して係止爪固定片３６４、３６４との係止が解除され、下皿部材５を前面枠３から開放することができるようになる。
【００５５】
係止爪５６４、５６４は、図１３に示すように、遊技機後方が先細状になるようにテーパーが付いている。そのため、下皿部材５を閉じる場合は、下皿開放操作部の開放操作摘み５６３を手で下に押し下げなくても、下皿部材５の係止爪側を前面枠３に押し込むと、開放操作部材の係止爪５６４、５６４はその上部が係止爪固定片３６４、３６４の下面に当接しながら下方にスライドする。更に下皿部材５が前面枠３に押し込まれ、係止爪固定片３６４、３６４の下面が係止爪５６４，５６４の上端を超えるところに達すると、開放操作部材５６２は上方に付勢されているから、係止爪５６４、５６４の鈎状になった部分が係止爪固定片３６４、３６４に係止され、下皿部材５の水平方向の移動が抑制され閉鎖状態に固定される。すなわち、下皿部材５を前面枠３に閉鎖する場合は、特に開放操作摘み５６３を押し下げなくても、下皿部材５の開放端部側を前面枠３に押し込むだけで閉鎖することができる。
【００５６】
図１４および１５はガラス枠４の分解斜視図である。図１４はガラス枠４を背面側から見た図であり、図１５はガラス枠４を前面側から見た図であり、ガラス枠４と、前面枠３のガラス枠係合部３００Ｇのガラス枠下方固定部３３０と、ガラス枠上方固定部３４０とを示す。図１６（ａ）は組み立てられたガラス枠４を下方から見た斜視図であり、図１６（ｂ）は図１６（ａ）のガラス枠下方被係合部４３０を拡大して示した図である。ガラス枠４は、上皿１２と一体に形成されており、図９でも説明したように、ガラス枠下方被係合部４３０およびガラス枠上方被係合部４４０を介して上皿１２と共に前面枠３に対して開閉し着脱可能に取り付けられる。
【００５７】
ガラス枠４は図１４および１５に示すように、前面側に位置しているガラス枠本体４１０に、後面側のガラス裏カバー４２０を取付けて一体的に形成されている。尚、前面枠３には、軸固定部（前面枠側ガラス枠用）３３１と軸部材（前面枠側ガラス枠用）３３２からなるガラス枠下方固定部３３０（図７，図８参照）と、固定板部３４１と係合穴３４２からなるガラス枠上方固定部３４０とが設けられている。図１４、図１５ではガラス枠下方固定部３３０とガラス枠上方固定部３４０の部材のみを示した。
【００５８】
また、ガラス枠４の左側縁上方には、前面枠３のガラス枠上方固定部３４０に係合するガラス枠上方被係合部４４０が設けられている。ガラス枠上方被係合部４４０は軸固定部（ガラス枠側前面枠用）４４１と該軸固定部（ガラス枠側前面枠用）４４１から突出する軸部材（ガラス枠側前面枠用）４４２と軸部材（ガラス枠側前面枠用）４４２を上方へ付勢する付勢部材４４３とから構成されると共に、この軸部材（ガラス枠側前面枠用）４４２は、後面側に設けられているガラス枠取外し操作部４５０によって上方に付勢された状態を解除して下方にスライド移動可能に形成されている。軸部材（ガラス枠側前面枠用）４４２の上下移動量は、下方が少なくとも軸部材（ガラス枠側前面枠用）４４２の先端が軸固定部（ガラス枠側前面枠用）４４１の表面から突出しない位置まで下方に移動可能であり、上方が少なくとも軸部材（ガラス枠側前面枠用）４４２の先端が前面枠３のガラス枠上方固定部３４０の係合穴３４２に挿入して軸支される位置まで上方へ移動可能に構成されている。
【００５９】
ガラス枠４の左側縁下方には、図１６（ａ）に示すように、前面枠３のガラス枠下方固定部３３０に係合するガラス枠下方被係合部４３０が設けられている。図１６（ｂ）に示すように、ガラス枠下方被係合部４３０は、固定板部４３１と該固定板部４３１を上下に貫通する穴として設けられた係合穴４３２とから構成される。この係合穴４３２に、前面枠３に設けられたガラス枠下方固定部３３０の軸部材（前面枠側ガラス枠用）３３２が挿入して軸支される（図８参照）。また、固定板部４３１の係合穴４３２の右斜め後方側には、固定板部４３１を上下に貫通する係止孔４２２が設けられている。この係止孔４２２は、貫通孔に限定されるものではなく、たとえば凹状の窪みであってもよい。この係止孔４２２は、下皿部材５が前面枠３に係合された状態、すなわち下皿部材５の軸部材５２２が前面枠３の貫通孔３２２に挿入され、軸部材５２２の先端が貫通孔３２２を貫通して突出した状態において、ガラス枠４と前面枠３の一端側の係止部であるガラス枠４の係止爪４４６，４４６と前面枠３の係止片４６，４６の係止を鍵１７等の操作により解除して、他端側である軸側が軸支された状態でガラス枠４を所定量（角度）開放した際に、下皿部材５の下皿上方被係合部５２０の軸部材（下皿部材側）５２２の先端が係止することができる程度の大きさに形成されている。図２０（ａ）はガラス枠４がない状態で前面枠３に下皿部材５が取り付けられた状態を示す斜視図であり、図２０（ｂ）は、下皿部材５の軸部材５２２の先端部が前面枠３の貫通孔３２２から突出した状態を示す図２０（ａ）の部分拡大図である。図２０（ｂ）に示すように、前面枠３の貫通孔３２２から下皿部材５の軸部材５２２の先端が突出しており、ガラス枠４を所定量（角度）開放すると、この軸部材５２２の先端がガラス枠４の係止孔４２２に嵌り込みガラス枠４を開放維持することができる。
【００６０】
図１７は、前面枠３にガラス枠４と下皿部材５とを組み付ける際の、前面枠３のガラス枠下方固定部３３０および下皿部材上方固定部３２０と、ガラス枠４のガラス枠下方被係合部４３０および下皿部材５の下皿上方被係合部５２０との係合状態を示す分解斜視図である。尚、図１７ではガラス枠４と前面枠３は、係合部および被係合部を構成する部材のみを示して、他の部材は省略した。
【００６１】
図１７に示すように、前面枠３にはガラス枠４が係合する係合部として、軸固定部（前面枠側ガラス枠用）３３１と軸部材（前面枠側ガラス枠用）３３２からなるガラス枠下方固定部３３０が設けられている。更に前面枠３の前記ガラス枠下方固定部３３０と共通の部材からなる下皿下方固定部３２０には固定板部３２１と該固定板部３２１を上下に貫通し、下皿部材５の下皿上方被係合部５２０が軸着される貫通孔（前面枠側下皿用）３２２が設けられている。この貫通孔（前面枠側下皿用）３２２は、係合部となるガラス枠下方固定部３３０の軸部材（前面枠側ガラス枠用）３３２に対してその軸の中心点が右斜め前面側に設けられている。
【００６２】
ガラス枠４は、前面枠３の係合部であるガラス枠下方固定部３３０に係合するガラス枠下方被係合部４３０を備えていると共に、このガラス枠下方被係合部４３０に、貫通孔（前面枠側下皿用）３２２から突出した軸部材５２２の先端部がガラス枠４を開放した際に挿入可能な孔状の係止孔４２２が形成されている。
【００６３】
前面枠３にガラス枠４及び下皿部材５を組み付けるには、ガラス枠４はガラス枠４の係合穴４３２をガラス枠下方固定部３３０の軸部材（前面枠側ガラス枠用）３３２に挿通することにより軸止可能に構成され、下皿部材５は前面枠３の貫通孔３２２に下皿部材５の下皿上方被係合部５２０の軸部材（下皿部材側）５２２を挿通すると軸止可能に構成されている。
【００６４】
図１８（ａ）は、図１７の上面図であり、ガラス枠４および下皿部材５が前面枠３に対して閉じた状態の、ガラス枠下方固定部３３０および下皿部材上方固定部３２０近傍を示す上面図である。図１８（ｂ）は、図１８（ａ）のＡ−Ａ線における断面を示す図である。
【００６５】
図１７、図１８（ａ）、（ｂ）に示すように、下皿部材５の軸部材５２２が、前面枠３の下皿部材上方固定部３２０の貫通孔（前面枠側下皿用）３２２を下から上に貫通することによって、軸部材５２２の先端部が貫通孔（前面枠側下皿用）３２２から突出すると共に、下皿部材５が軸部材５２２を回転軸として前面枠３に対して開閉可能に軸着している。
【００６６】
ガラス枠４のガラス枠下方被係合部４３０において、係止孔４２２が形成されている位置は、前面枠３のガラス枠下方固定部３３０の軸部材（前面枠側ガラス枠用）３３２が挿通して軸支するための係合穴４３２を軸着中心として、ガラス枠４を回動させて開放する際に、係止孔４２２の移動する軌跡Ｌ上で、軸部材５２２の先端部が挿入可能な位置である。そのため、ガラス枠４を開閉移動させれば、自然にガラス枠４の係止孔４２２と軸部材（下皿部材側）５２２の位置が合致し、ガラス枠４を開放維持することが可能となる。以下、上記のガラス枠（又は第１の開放部材）の係止孔４２２の軌跡Ｌを開放軌跡と呼ぶ。
【００６７】
下皿部材５に設けられる軸部材５２２は、ガラス枠４に設けられる係止孔４２２の開放軌跡Ｌ上に位置するように設けられている。そして、ガラス枠４を開放した際に、軸部材５２２の先端部が係止孔４２２に挿入されることによって、前面枠３に対しガラス枠４が開放された状態が維持されるように構成されている。また下皿部材５に設けられる軸部材５２２は、図１８（ｂ）に示すように、その先端が細い円錐形状とした、テーパー状に形成されている。そのため、下皿部材５の軸部材（下皿部材側）５２２がガラス枠４の係止孔４２２に挿入されている状態（開放維持状態）から、ガラス枠４を開閉移動させる際に、軸部材（下皿部材側）５２２の先端が先細のテーパー状に形成されており傾斜しているので、先端が傾斜していない場合に比べて開閉移動させやすく構成されている。すなわち、下皿部材５の軸部材５２２がガラス枠４の係止孔４２２に挿入されている状態において、開閉移動させる際に軸部材（下皿部材側）５２２の傾斜面に係止孔４２２の内周面が誘導されることによって、ガラス枠４を開閉動作させることが可能となる。また、ガラス枠４を開放維持させる際に、ガラス枠４の係止孔４２２を軸部材（下皿部材側）５２２に誘導させやすく構成されている。
【００６８】
下皿部材５の軸部材５２２は図１３に示したように、付勢部材５３３により常に上方に付勢されているから、図１８（ｂ）に示すように軸固定部（下皿部材側）５２１の表面より上方に突出して、下皿上方固定部３２０の貫通孔（前面枠側下皿用）３２２に挿通される。さらに、ガラス枠４が閉じた状態では、軸部材５２２の先端部がガラス枠４のガラス枠下方被係合部４３０の固定板部４３１に当接して押しつけられた状態になる。
【００６９】
図１８（ａ）に示すように、ガラス枠下方被係合部４３０に設けられた係合穴４３２と係止孔４２２との間の距離と、ガラス枠下方固定部３３０の軸部材（前面枠側ガラス枠用）３３２と下皿上方固定部３２０の貫通孔（前面枠側下皿用）３２２との間の距離はほぼ等しく、軸部材（前面枠側ガラス枠用）３２２あるいは係合穴４３２を軸にして貫通孔（前面枠側下皿用）３２２と同一径の円周上に配置される。すなわち、ガラス枠４に設けられる係止孔４２２および下皿部材５に設けられる軸部材５２２は、軸部と軸受け部の回動中心から略等距離に位置して設けられているものである。
【００７０】
図１９（ａ）は、ガラス枠４が前面枠３から開いた状態の、ガラス枠下方固定部３３０および下皿上方固定部３２０を示す上面図であり、図１９（ｂ）は、図１９（ａ）のＢ−Ｂ線における断面を示した図である。
【００７１】
下皿部材５には、図１３で説明したように、軸部材５２２を下方から上方（すなわち貫通孔（前面枠側下皿用）３２２から突出する方向）に付勢するためのバネ５３３からなる弾性部材が設けられ、軸部材５２２は通常、上方に付勢されている。ガラス枠４を前面枠３から開放すると、ガラス枠４のガラス枠下方被係合部４３０の固定板部４３１は、係合穴４３２を中心として回転移動する。ガラス枠４の開放が、係止孔４２２と軸部材５２２が同軸上に配置される位置となる所定角度までの間（この間を、第１の開閉部材を一定量開放する間という）は、図１８（ｂ）に示すように、軸部材５２２がバネ５３３が上方に付勢された状態で、軸部材（下皿部材側）５２２の先端にガラス枠４に設けられたガラス枠下方被係合部４３０の固定板部４３１の下面が当接して、軸部材５２２がバネ５３３の付勢に抗して変位した状態で、ガラス枠４は回動する。そしてガラス枠４が、係止孔４２２と軸部材５２２が同軸上に配置される位置まで開放されると、図１９（ａ）、（ｂ）に示すように、軸部材５２２は、バネ５３３（図示しない）により上方に付勢されているから、その先端のテーパー状に形成された部分の一部が係止孔４２２に挿入されることによってガラス枠４を所定角度で開放維持することが可能となる。また、ガラス枠４が前面枠３に軸着された状態で、ガラス枠４を開放すると、軸側の反対側の他端側に荷重がかかり、微小でもガラス枠４が他端側に傾く場合がある。それを利用することによって、ガラス枠４を開放移動すると軸部材（下皿部材側）５２２にガラス枠４の係止孔４２２が挿入されやすく構成することが可能となる。そして、軸部材（下皿部材側）５２２の先端がテーパー状ならその傾斜を利用して、さらに軸部材（下皿部材側）５２２にガラス枠の係止孔４２２を挿入しやすくすることが可能となる。
【００７２】
このように、下皿部材５の軸部材５２２が、前面枠３の下皿上方固定部３２０の固定板部３２１に設けられた貫通孔（前面枠側下皿用）３２２を貫通して、ガラス枠４のガラス枠下方被係合部４３０の係止孔４２２に係止することで、ガラス枠４が所定の角度の開放状態を維持することができる。つまり、下皿部材５（第２の開閉部材）が前面枠３（本体枠）に対して開閉可能にするための軸を使用して、前面枠３（本体枠）に対して開閉可能に構成されたガラス枠４の開放状態を維持することができるので開閉部材に少し触っただけで閉まるなど、開閉部材の開閉変位が起こることによって作業への支障（煩わしさ）が出ることを抑制することが可能となる。従って、例えば前面枠３、ガラス枠４や下皿部材５等に開放維持用の別部材を取り付ける必要もなく、開放維持するための特別な操作も必要としないでガラス枠４を開放維持することができるので、構造的にも無駄が少なく効率よく構成することができる。
【００７３】
また、前面枠３の下皿上方固定部３２０の貫通孔３２２は、ガラス枠下方固定部３３０の軸部材（前面枠側ガラス枠用）３３２よりも、前面側に設けられているので、ガラス枠４を開放維持する際に、ガラス枠４の係止孔４２２と下皿部材５の軸部材５２２との係止位置が、ガラス枠４と前面枠３との係合位置（本体枠の軸部材３３２）よりも内側（前面枠３の横方向に対して中心側）になるため、ガラス枠４が開放維持された際に、ガラス枠４の軸側とは異なる他端側に過重がかかるのを軽減することが可能となり、の前面枠３への軸着を支えることができる。
【００７４】
また、下皿部材５の軸部材５２２の先端がテーパー状に形成されているので、ガラス枠４を開放するときには、軸部材（下皿部材側）５２２のテーパー部分である傾斜に誘導されて軸部材５２２が係止孔４２２に係止されやすくなる。
【００７５】
さらに、軸部材５２２は付勢部材５３３により常に上方に付勢されるように構成されているので、ガラス枠４が所定の角度に開放されると、軸部材５２２は付勢部材５３３によって上方に勢いよく付勢されて、係止孔４２２に挿入され、ガラス枠４が開放状態に維持される。従って、ガラス枠４を、開放維持または解除する操作を必要とせずに、開放維持することができる。
【００７６】
本発明の遊技機において、ガラス枠（第１の開閉部材）に設けられる係止孔及び下皿部材（第２の開閉部材）に設けられる軸部材は、ガラス枠（第１の開閉部材）と下皿部材（第２の開閉部材）の軸部と軸受け部の回動中心から略等距離に位置するように設ける場合、前面枠（本体枠）に設けられる係合部と、ガラス枠（第１の開閉部材）に設けられる被係合部のいずれか一方が、ガラス枠（第１の開閉部材）を前面枠（本体枠）に対して回動可能とするための軸部として構成され、他方が該軸部に軸着される軸受け部として形成されていれば良い。
【００７７】
以上、本発明の実施形態について説明したが、本発明はこうした実施形態に何ら限定されるものではなく、本発明の趣旨を逸脱しない範囲において、種々なる態様で実施できることはもちろんである。前記実施例では、第１の開閉部材が第２の開閉部材の上方に配置された例を示したが、例えば、第２の開閉部材が第１の開閉部材の上方に配置されるようにしてもよい。その際は、第２の開閉部材の軸部材が下方に突出する構成となる。また、上記実施例においてはガラス枠４と上皿１２が一体に構成されているが、別体に構成してもよい。つまり、一つの開閉部材の軸を使用して他の開閉部材が開放維持される構成であればよい。
【図面の簡単な説明】
【００７８】
【図１】本発明の一実施例である遊技機を示す正面図である。
【図２】図１の背面図である。
【図３】機枠と前面枠の取付構造を示すための分解斜視図である。
【図４】前面枠からガラス枠を開いた状態を示す斜視図である。
【図５】前面枠からガラス枠及び下皿部材を開いた状態を示す斜視図である。
【図６】前面枠の正面図である。
【図７】前面枠の斜視図である。
【図８】図７の下皿部材係合部の拡大図である。
【図９】前面枠とガラス枠および下皿部材との取付構造を示すための分解斜視図である。
【図１０】下皿部材の正面図である。
【図１１】下皿部材の斜視図である。
【図１２】下皿部材の背面図である。
【図１３】下皿部材を背面側から見た分解斜視図である。
【図１４】ガラス枠を背面側から見た分解斜視図である。
【図１５】ガラス枠を前面側から見た分解斜視図である。
【図１６】（ａ）はガラス枠を下側から見た斜視図である、（ｂ）は図１６（ａ）のガラス枠下方被固定部の拡大図である。
【図１７】前面枠下方固定部および下皿上方固定部の前面枠への取付構造を示すための分解斜視図である。
【図１８】（ａ）は、ガラス枠および下皿部材が閉鎖した状態の前面枠下方固定部および下皿上方固定部の係止構造を示す上面図であり、（ｂ）は、図１８（ａ）のＡ−Ａ線断面図である。
【図１９】（ａ）は、ガラス枠および下皿部材が開放した状態の前面枠下方固定部および下皿上方固定部の係止構造を示す上面図であり、（ｂ）は、図１９（ａ）のＡ−Ａ線断面図である。
【図２０】前面枠に下皿部材のみが取り付けられた状態を示す斜視図である。
【図２１】従来の遊技機のガラス枠開放維持機構す斜視図である。
【符号の説明】
【００７９】
１  パチンコ遊技機
３  前面枠
４  ガラス枠
５  下皿部材
３００Ｇ  ガラス枠係合部
３００Ｓ  下皿部材係合部
３２０  下皿上方固定部
３２２  貫通孔
３３０  ガラス枠下方固定部材
３３２  前面枠の軸部材
４２２  係止孔
４３０  ガラス枠下方被係合部
４３２  係合穴
５２０  下皿上方被係合部
５２２  下皿部材の軸部材
【図１】
2007275162.tif 000003
【図２】
2007275162.tif 000004
【図３】
2007275162.tif 000005
【図４】
2007275162.tif 000006
【図５】
2007275162.tif 000007
【図６】
2007275162.tif 000008
【図７】
2007275162.tif 000009
【図８】
2007275162.tif 000010
【図９】
2007275162.tif 000011
【図１０】
2007275162.tif 000012
【図１１】
2007275162.tif 000013
【図１２】
2007275162.tif 000014
【図１３】
2007275162.tif 000015
【図１４】
2007275162.tif 000016
【図１５】
2007275162.tif 000017
【図１６】
2007275162.tif 000018
【図１７】
2007275162.tif 000019
【図１８】
2007275162.tif 000020
【図１９】
2007275162.tif 000021
【図２０】
2007275162.tif 000022
【図２１】
2007275162.tif 000023